(57)【要約】【課題】低温室上面の棚を着脱自在として使い勝手を向上させた冷蔵庫の提供。【解決手段】冷蔵室最下部の棚４５の下部に冷蔵室より低い温度の低温室４６を配置し、前記棚は低温室の天井面を形成し、かつ冷蔵室背面の冷気通路部冷気通路部３６と連通する冷気導入口５８と冷気通路５７と冷気吹出口５９を備えた冷蔵庫において、前記棚４５は冷蔵室に対し着脱自在に組み込んだ構成としてある。これにより、低温室の棚が汚れたときなどにはこれを冷蔵室から取り外してその汚れをきれいに掃除することができると同時に、冷蔵室背面の冷気通路部からの冷気を低温室に供給して低温室を冷蔵室温度よりも低温に冷却することができ、棚の着脱性と低温室への冷気供給性を両立させた使い勝手の良い冷蔵庫とすることができる。【選択図】図７
2015117922.tif 000002
【特許請求の範囲】
【請求項１】
冷蔵室の最下部の棚の下部に冷蔵室より低い温度の低温室を配置し、前記棚は低温室の天井面を形成し、かつ冷蔵室背面の冷気通路部と連通する冷気導入口と冷気通路と冷気吹出口を備えた冷蔵庫において、前記棚は冷蔵室に対し着脱自在とした冷蔵庫。
【請求項２】
棚は、上面板と下面板との間に断熱材を組み込んで形成するとともに、この断熱材が前記上面板と冷気通路との間に位置する構成とした請求項１記載の冷蔵庫。
【請求項３】
低温室はその前面側に棚の前部を支持するアーチ部を有するとともに、棚は前記アーチ部へ載置する載置部より冷気導入口側部分の厚み寸法を大きくして当該部分に冷気通路を設け、かつ、前記棚はその載置部を前記アーチ部に載置した状態で冷蔵室背面の冷気通路部側に移動可能な構成とした請求項１または２記載の冷蔵庫。
【請求項４】
断熱材は上下或いは左右一対の断熱部材からなり、前記一対の断熱部材を組み合わせてこれらの間に冷気通路を形成した請求項１〜３のいずれか１項記載の冷蔵庫。
【請求項５】
冷気吹出口は棚下面に複数形成した請求項１〜４のいずれか１項記載の冷蔵庫。
【発明の詳細な説明】
【技術分野】
【０００１】
本発明は冷蔵庫の冷蔵室に設けた低温室構成に関するものである。
【背景技術】
【０００２】
一般に家庭用冷蔵庫は、冷蔵室、野菜室、冷凍室等の複数の貯蔵室を備え、更に前記貯蔵室のうち冷蔵室内には当該冷蔵室よりも低温に冷却されるチルド室あるいはパーシャル室等と称される低温室を設けたものが見られる。（例えば、特許文献１参照）。
【０００３】
図１６は特許文献１記載の冷蔵庫を示し、この冷蔵庫は冷蔵室１０１の下部に低温室１０２を設け、この低温室１０２はその上面をトレー１０３で覆って構成してある。そして上記低温室１０２内には前記冷蔵室１０１の背面に設けた冷気供給ダクト１０４から冷気を供給して冷却する。
【０００４】
この冷気の供給は一般的には低温室１０１の背面壁にあけた冷気供給孔から直接供給するが、この特許文献１の冷蔵庫では、低温室１０１はその上面を覆うトレー１０３内に形成したダクト空間１０５を介してその前端に設けた吹出し口１０６より供給するようになっている。すなわち、前記トレー１０３は食品等を載置する金属製のトレー板１０７と樹脂製のトレー底板１０８とを組み合わせて構成し、このトレー板１０７とトレー底板１０８との間にダクト空間１０５を形成して、当該ダクト空間１０５を前記冷蔵室１０１の背面に形成した冷気供給ダクト１０４に連通させ、ダクト空間１０５の前方部に設けた吹出し口１０６から低温室１０２内に冷気を供給するようになっている。
【先行技術文献】
【特許文献】
【０００５】
【特許文献１】特開２００１−２８０７７５号公報
【発明の概要】
【発明が解決しようとする課題】
【０００６】
上記特許文献１に記載されている低温室構成によれば、冷蔵室１０１下部に設けた低温室１０２は低温室専用の冷気を供給して冷蔵室１０１より低温に冷却でき、例えば半冷凍食品を良好に冷却保存できる利点がある。
【０００７】
しかしながら、上記低温室１０２はそのトレー１０３がダクト空間１０５を有しているなどのことから冷蔵室１０１より取り外すことができない構成としてあり、トレー１０３の上面、すなわちトレー板１０７の上面が食品等によって汚れた場合等これを取り外して掃除することができなかった。その結果、トレー１０３の冷蔵室側壁面と接する両端部分の汚れをきれいに掃除することができないという結果を招いていた。
【０００８】
また、上記低温室１０２はその上面を覆うトレー１０３の上面に食品等を設置されるため当該食品が重い、例えば当該食品が籠に入れたビール缶群等であるような場合にたわみ変形しやすくて幅広の大きなものにし難いとともに、低温室１０２と貯蔵室１０１との間の温度差が大きいため、トレー１０３の上面を構成するトレー板１０７の表面に結露が生じ食品等がべとつく等、幾つかの改良すべき点があるものであった。
【０００９】
本発明はこのような点に鑑みてなしたもので、特に低温室上面の棚を着脱自在として使い勝手のよい冷蔵庫を提供することを主目的としたものである。
【課題を解決するための手段】
【００１０】
本発明は、上記目的を達成するために、冷蔵室の最下部の棚の下部に冷蔵室より低い温度の低温室を配置し、前記棚は低温室の天井面を形成し、かつ冷蔵室背面の冷気通路部と連通する冷気導入口と冷気通路と冷気吹出口を備えた冷蔵庫において、前記棚は冷蔵室に対し着脱自在に組み込んだ構成としてある。
【００１１】
これにより、冷蔵室背面の冷気通路部からの冷気を低温室に供給して低温室を冷蔵室温度よりも低温に冷却することができると同時に、低温室の棚が汚れたときなどにはこれを冷蔵室から取り外してその汚れをきれいに掃除することができる。
【発明の効果】
【００１２】
本発明の冷蔵庫は、上記構成により、低温室の棚の着脱性と低温室への冷気供給性を両立させた使い勝手の良い冷蔵庫とすることができる。
【図面の簡単な説明】
【００１３】
【図１】本発明の実施の形態１における冷蔵庫の正面図
【図２】同実施の形態１における冷蔵庫の扉を開いた時の正面図
【図３】同実施の形態１における冷蔵庫を示す図２のＡ−Ａ断面図
【図４】同実施の形態１における冷蔵庫の冷気流れを説明するための概略断面図
【図５】同実施の形態１における冷蔵庫の冷気流れを説明する概略正面図
【図６】同実施の形態１における冷蔵庫の冷却室部分の冷気流れを説明する背面斜視図
【図７】同実施の形態１における冷蔵庫の冷蔵室下部に設けた低温室の断面図
【図８】同実施の形態１における冷蔵庫の低温室部分を示す斜視図
【図９】同実施の形態１における冷蔵庫の低温室部分から棚を取り外した時の斜視図
【図１０】同実施の形態１における冷蔵庫の低温室部分の正面図
【図１１】（ａ）（ｂ）（ｃ）同実施の形態１における冷蔵庫の低温室部分の棚取付け手順を示す説明図
【図１２】同実施の形態１における冷蔵庫の低温室部分に設けたアーチ部の斜視図
【図１３】本発明の実施の形態２における冷蔵庫の冷蔵室下部に設けた低温室の断面図
【図１４】同実施の形態２における冷蔵庫の冷蔵室下部に設けた低温室の要部拡大断面図
【図１５】同実施の形態２における冷蔵庫の低温室部分に設けたアーチ部の半裁斜視図
【図１６】従来の冷蔵庫の低温室部分を示す概略断面図
【発明を実施するための形態】
【００１４】
第１の発明は、冷蔵室の最下部の棚の下部に冷蔵室より低い温度の低温室を配置し、前記棚は低温室の天井面を形成し、かつ冷蔵室背面の冷気通路部と連通する冷気導入口と冷気通路と冷気吹出口を備えた冷蔵庫において、前記棚は冷蔵室に対し着脱自在に組み込んだ構成としてある。
【００１５】
これにより、冷蔵室背面の冷気通路部からの冷気を低温室に供給して低温室を冷蔵室温度よりも低温に冷却することができると同場に、低温室の棚が汚れたときなどにはこれを冷蔵室から取り外してその汚れをきれいに掃除することができ、棚の着脱性と低温室への冷気供給性を両立させた使い勝手の良い冷蔵庫とすることができる。
【００１６】
第２の発明は、第１の発明において、前記棚は、上面板と下面板との間に断熱材を組み込んで形成するとともに、この断熱材が前記上面板と冷気通路との間に位置する構成とし
てある。
【００１７】
これにより、低温室と冷蔵室との間の温度差が大きくても低温室から冷蔵室への低温伝導を断熱材で抑制することができ、棚の表面に結露が生じ食品等がべとつくのを防止できる。
【００１８】
第３の発明は、第１または第２の発明において、前記低温室はその前面側に棚の前部を支持するアーチ部を設けるとともに、棚は前記アーチ部へ載置する載置部より冷気導入口側部分の厚み寸法を大きくして当該部分に冷気通路を設け、かつ、前記棚はその載置部を前記アーチ部に載置した状態で冷蔵室背面の冷気通路部側に移動可能な構成としてある。
【００１９】
これにより、棚のたわみ変形を防止できて低温室を幅広なものとすることができると同時にアーチ部に載置した棚の上面高さも低く抑えつつ冷気通路を形成でき、しかも冷蔵室への棚の着脱も容易に行えるようになって利便性が向上する。すなわち、棚の前部をアーチ部によって支持することにより食材等の重量をアーチ部で支持して棚のたわみ変形を防止でき低温室の幅広大型化が可能となるとともに、厚み寸法が大きくなりがちな冷気通路形成部分は棚のアーチ部への載置部分より後方部分に形成しているから、載置部の厚み寸法を小さくしてアーチ部に載置したときの棚上面の高さを低く抑え冷蔵室の容積低下等を防止することができる。そして、棚の載置部の厚み寸法を薄くしたことによってその後方部分の厚み寸法が厚くなっていて前部にアーチ部が存在していても、棚は低温室の上方から下方に移動させて棚の載置部をアーチ部に当接させた後、そのまま後方、すなわち冷蔵室背面の冷気通路部側に移動させれば、その冷気導入口が冷気通路部に接続されてスムーズに冷蔵室に装着でき、また、逆の動作をすることによってスムーズに取り外すことができる。
【００２０】
第４の発明は、第１〜第３の発明において、前記断熱材は上下或いは左右一対の断熱部材からなり、前記一対の断熱部材を組み合わせてこれらの間に冷気通路を形成した構成としてある。
【００２１】
これにより、冷気通路は冷気通路用凹部を形成した一対の断熱部材を組み合わせることによって容易に形成でき、一つの断熱部材の中をくりぬいて冷気通路を形成する場合に比べその生産性が向上すると同時に、冷気通路形状の自由度も向上し、低温室全体を効率よく冷却するのに最適な冷気通路とすることができる。
【００２２】
第５の発明は、第１〜第４の発明において、前記冷気吹出口は棚下面に複数形成した構成としてある。
【００２３】
これにより、低温室全体を効率よくかつ均一に冷却することができ、低温室冷却性能のさらな向上を図ることができる。
【００２４】
以下、本発明の実施の形態について、図面を参照しながら説明する。尚、この実施の形態によって本発明が限定されるものではない。
【００２５】
（実施の形態１）
図１は本発明の実施の形態１における冷蔵庫の正面図、図２は同実施の形態１における冷蔵庫の扉を開いた時の正面図、図３は同実施の形態１における冷蔵庫を示す図２のＡ−Ａ断面図、図４は同実施の形態１における冷蔵庫の冷気流れを説明するための概略断面図、図５は同実施の形態１における冷蔵庫の冷気流れを説明する概略正面図、図６は同実施の形態１における冷蔵庫の冷却室部分の冷気流れを説明する背面斜視図、図７は同実施の形態１における冷蔵庫の冷蔵室下部に設けた低温室の断面図、図８は同実施の形態１にお
ける冷蔵庫の低温室部分を示す斜視図、図９は同実施の形態１における冷蔵庫の低温室部分から棚を取り外した時の斜視図、図１０は同実施の形態１における冷蔵庫の低温室部分の正面図、図１１（ａ）（ｂ）（ｃ）は同実施の形態１における冷蔵庫の低温室部分の棚取付け手順を示す説明図、図１２は同実施の形態１における冷蔵庫の低温室部分に設けたアーチ部の半裁斜視図である。
【００２６】
まず、冷蔵庫の全体構成について説明する。
【００２７】
＜冷蔵庫本体構成＞
図１〜図６において、本実施の形態に係る冷蔵庫は、前方を開口した冷蔵庫本体１を備え、この冷蔵庫本体１は、図３等に示すように主に鋼板を用いた外箱２と、ＡＢＳなどの硬質樹脂で成型された内箱３と、前記外箱２と内箱３との間に充填された硬質発泡ウレタン等の発泡断熱材４とから構成されている。冷蔵庫本体１は、仕切板５．６によって複数の貯蔵室に区分されており、冷蔵庫本体１の最上部には冷蔵室７、その冷蔵室７の下部に野菜室８、そして最下部に冷凍室９が配置されていて、真ん中野菜室タイプの冷蔵庫となっている。前記各貯蔵室の前面開口部は、扉１０、扉１１、扉１２によって開閉可能に閉塞されている。
【００２８】
冷蔵庫本体１の上部後方領域には機械室１４が設けられており、圧縮機１５、水分除去を行うドライヤ（図示せず）等の冷凍サイクルの高圧側構成部品が収容されている。
【００２９】
また、冷蔵庫本体１の背面には冷気を生成する冷却室１６が設けられている。この冷却室１６は冷凍室９の背面から野菜室８の下部背面に渡って形成されており、野菜室８との間は発泡スチロール等によって断熱性を持たせた奥面仕切壁体１７を設けて断熱仕切りされている。
【００３０】
冷却室１６内には冷却器１８が配設されており、冷却器１８の上部には冷却ファン１９が配置されている。前記冷却ファン１９は、冷却器１８により冷却された冷気を冷蔵室７、野菜室８、冷凍室９に強制循環させて各室を冷却するものである。例えば、冷蔵室７は冷蔵保存のために凍らない温度を下限に通常１℃〜５℃に冷却し、最下部の野菜室８は冷蔵室７と同等もしくは若干高い温度設定の２℃〜７℃としている。また、冷凍室９は冷凍温度帯に設定されており、冷凍保存のために通常−２２℃〜−１５℃で設定されるが、冷凍保存状態の向上のために、例えば−３０℃や−２５℃の低温で設定されることもある。
【００３１】
また、前記冷却器１８の下部空間には、図４等に示すように冷却器１８やその周辺に付着する霜や氷を除霜する除霜ヒータ２０が配置されている。除霜ヒータ２０の下部には除霜時に生じる除霜水を受けるためのドレンパン２１が配置され、除霜水はドレンパン２１の最深部から図示しないドレンチューブを介して庫外の蒸発皿に排出するようになっている。
【００３２】
次に冷気循環構成について説明する。
【００３３】
＜冷気循環通路構成＞
冷気を生成する冷却室１６は、図３、図４に示すように前記した奥面仕切壁体１７と冷蔵庫本体１との間に形成されている冷却室冷気搬送路３０に冷却ファン１９の下流が開口しており、この冷却室冷気搬送路３０を介して各室に冷気を送風する。
【００３４】
冷却室冷気搬送路３０の上部は図５に示すように冷蔵室ダンパ３１を介して冷蔵室７の背面略中央部に形成されている冷蔵冷気往き通路３２と連通している。冷蔵冷気往き通路３２の側方には冷蔵室７からの冷蔵冷気戻り通路３３が隣接設置されていて、その下部は
野菜室８、冷却室１６に連通している。
【００３５】
冷蔵室７にはその奥壁上部適所に冷蔵冷気往き通路３２の冷蔵冷気入口３５が設けてあり、同奥壁下部適所には前記冷蔵冷気戻り通路３３へ開口する冷蔵冷気戻り口３６が設けられていて、冷却室１６からの冷気は冷蔵室ダンパ３１を介して冷蔵冷気往き通路３２に供給され、その冷蔵冷気入口３５から冷蔵室７に供給される。一方、冷蔵室冷却後の冷気は冷蔵冷気戻り口３６から冷蔵冷気戻り通路３３を介して野菜室８に供給され、かつ冷却室１６へと循環する。
【００３６】
また、この冷蔵室７には後述するようにその下部に低温室が設けられていて、当該低温室には図６にも示すように低温室ダンパ３１ａ、低温室冷気往き通路３２ａ、低温室冷気入口３６ａを介して供給されるようになっている。
【００３７】
この実施の形態では、同図６から明らかなように、前記奥面仕切壁体１７と仕切板６の背面に、前記冷却室冷気搬送路３０と冷蔵冷気往き通路３２及び低温室冷気往き通路３２ａとを連絡する往き通路３７と、冷蔵冷気戻り通路３３と野菜室８、冷却室１６とを連絡する戻り通路３８が形成されていて、前記冷蔵室ダンパ３１、低温室冷気往き通路３２ａはこの往き通路３７に設けられている。
【００３８】
そして、前記冷蔵冷気往き通路３２と冷蔵冷気戻り通路３３との間に連通路３９が形成されていて、冷蔵冷気往き通路３２を流れる低温冷気の一部が冷蔵冷気戻り通路３３に混入するように構成されている。
【００３９】
また、冷凍室９の背面には図６に示すように前記冷却室１６の冷却器１８側方を下向きに延びる冷気戻りダクト４０が設けられており、この冷気戻りダクト４０の上部が上記戻り通路３８を介して野菜室８に連通するとともにその下部が冷却室１６の下部近傍に開口していて、前記野菜室８冷却後の冷気が冷気戻りダクト４０を介してその下部開口から冷却室１６へと循環するように構成されている。
【００４０】
一方、冷凍室９は図３、図４に示すようにその背面壁体４１の上部に前記奥面仕切壁体１７背面の冷却室冷気搬送路３０下部に連通する冷凍冷気入口４２が、下部に前記冷却室１６の下部に開口する冷凍冷気戻り口４３が形成されていて、冷却室１６からの冷気が冷却室冷気搬送路３０下部から冷凍冷気入口４２を介して供給され、冷凍室冷却後の冷気が冷凍冷気戻り口４３を介して冷却室１６へと循環するようになっている。
【００４１】
次に冷蔵庫、野菜室、冷凍室の構成について説明する。
【００４２】
＜冷蔵室構成＞
冷蔵室７は既に述べたように冷蔵冷気入口３５及び冷蔵冷気戻り口３６が設けられており、図３等に示すように内部には複数の棚４４が設けてある。この冷蔵室の下部、すなわち、最下段の棚４５の下部には本発明の一実施形態として示す低温室４６が配置されている。
【００４３】
上記低温室４６は冷蔵室７より低い温度、例えば−３℃程度の温度に冷却されるもので、その前面部には略四角門型のアーチ部４８を立設して、前記棚４５の前端部分を支持させてあり、図２、図８等から明らかなように製氷用の貯水タンク設置スペース４７を除き冷蔵室７の横幅ほぼ一杯に形成してある。そしてこの低温室４６内には図７に示すように出し入れ自在な低温室容器４９が設けてあり、その前面開口は前記低温室容器４９の出し入れによって開閉する蓋５０によって覆われている。
【００４４】
また、上記低温室４６の天井面ともなる棚４５は、棚４５の後端面に形成した係合片（図示せず）を前記冷却室背面の低温室冷気入口３６ａの両側に設けた係合受け部５２（図９参照）に係合させて着脱自在に取り付けてあり、この状態で前記棚４５の両側縁は冷蔵室両側壁部分に設けた段状レール部５３に支持され、かつ前端部は前記アーチ部４８に支持されて所定位置に固定保持されている。
【００４５】
さらにまた、前記棚４５は図７に示すように上面板５４と下面板５５との間に発泡スチロール等の断熱材５６を組み込んで形成してあり、この断熱材５６に前記冷蔵室背面の低温室冷気往き通路（連通路部）３２ａに形成されている低温室冷気入口３６ａからの冷気が供給される冷気通路５７が形成してある。
【００４６】
この実施の形態の断熱材５６は、冷気通路用凹部を有する上下一対の断熱部材５６ａ、５６ｂからなっていて、これらを組み合わせて冷気通路５７を形成しており、その後方の冷気導入口５８は棚４５を冷蔵室７へ取り付けることによって前記冷蔵室背面の低温室冷気入口３６ａにパッキン３６ｂを介して接続されるようになっている。そして前記棚４５の冷気通路５７は棚４５の略全面にわたり幅広く形成してその下面に複数の冷気吹出口５９が形成してあり、低温室４６内に万遍なく冷気を供給するように構成してある。
【００４７】
また、この棚４５は図７からも明らかなように低温室冷気往き通路３２ａの低温室冷気入口３６ａに接続する冷気導入口５８部分は低温室冷気入口３６ａに接続するため上下方向の厚み寸法が大きくなるが、その前方側の冷気通路５７部分は当該冷気通路５７を薄くしてこの部分の厚み寸法が小さくなるように形成してある。さらにその上で、前記冷気通路５７は前記棚４５の前端部分、すなわちアーチ部４８への載置部４５ａには設けずその載置部分の厚み寸法をさらに小さく設定してある。
【００４８】
また、前記アーチ部４８の下面には図１２に示すように前記低温室４６内を照射するＬＥＤ等からなる照明装置６０が棚載置部分の横幅略全域にわたって組み込んである。
【００４９】
なお、冷蔵室７の側壁適所には各室の庫内温度設定や製氷および急速冷却などの設定を行う操作部６２（図３参照）が配置されている。
【００５０】
＜野菜室構成＞
野菜室８は、図３等に示すように野菜室容器６３が配置されており、この野菜室容器６３は扉１１の内面に取り付けたレール状の支持部材に嵌め込んで扉１１の開閉に伴い野菜室８から出し入れされるようになっている。なお、  野菜室容器６３は下段容器６４とその上面開口に載置した上段容器６５とからなる。
【００５１】
また、上記野菜室８は上記野菜室容器６３とその下の仕切板６及び野菜室８の内周壁面との間に空間が設けられ、当該空間は冷気が流れる風路を構成している。
【００５２】
＜冷凍室構成＞
冷凍室９は既に図３を用いて述べたようにその奥壁上部に前記奥面仕切壁体１７背面の冷却室冷気搬送路３０下部と連通する冷凍冷気入口４２が形成され、さらに奥壁下部に前記冷凍室９に連通する冷凍冷気戻り口４３が形成されている。そして構造図には図示していないが、冷却室１６から冷凍室９への通路の適所にも冷凍室ダンパが組み込まれている。なお、この冷凍室９にも、図３等に示すようにその扉１２のフレームに載置された冷凍室容器６６が設けられており、更にその冷凍室容器６６の上部には製氷装置６７が組み込まれている。
【００５３】
以上のように構成された冷蔵庫について、以下その動作、作用を説明する。
【００５４】
まず、冷凍サイクルの動作について説明する。
【００５５】
庫内の設定された温度に応じて冷凍サイクルが動作し冷却運転が行われる。圧縮機１５の動作により吐出された高温高圧の冷媒は、凝縮器（図示せず）である程度凝縮液化し、さらに冷蔵庫の側面や背面、また冷蔵庫の前面間口に配設された冷媒配管（図示せず）などを経由し冷蔵庫の結露を防止しながら凝縮液化し、キャピラリーチューブ（図示せず）に至る。その後、キャピラリーチューブでは圧縮機１５への吸入管（図示せず）と熱交換しながら減圧されて低温低圧の液冷媒となって冷却室の冷却器１８に至る。ここで、前記冷却器１８内の冷媒は蒸発気化し、当該冷却器１８を有する冷却室１６で各貯蔵室を冷却するための冷気が生成される。
【００５６】
次に冷気循環による冷却動作について説明する。
【００５７】
冷却室１６内で生成された低温の冷気は、冷却ファン１９によって、冷却室冷気搬送路３０から冷蔵室７と冷凍室９に送られ、冷蔵室７に供給された冷気は冷蔵室７を冷却した後、野菜室８に供給され、それぞれの室が設定温度に冷却される。そして、各室を冷却したのちの冷気は、再び冷却室１６に戻って冷却器１８により冷却され、冷却ファン１９で各室に循環していく。また、上記各室への冷気供給は、冷蔵室温度検知手段や冷凍室温度検知手段（いずれも図示せず）の検出温度に基づき圧縮機１５と冷却ファン１９を運転／停止、及び冷蔵室ダンパ３１、低温室ダンパ３１ａ、冷凍室ダンパを開・閉制御され、それぞれの室が設定温度帯に維持されるようになっている。
【００５８】
次に本発明の特徴である低温室の冷却とその作用効果について説明する。
【００５９】
まずこの低温室４６は、冷却室背面の低温室冷気往き通路３２ａに形成されている低温室冷気入口３６ａから冷気が供給され冷却される。この冷気は低温室４６の天井面を構成する棚４５の冷気通路５７を流れてその下面に設けた複数の冷気吹出口５９より低温室４６内に吹出すから、低温室４６を冷蔵室７よりも低温の温度にむらなく均一に冷却することができる。
【００６０】
ここで、上記低温室４６はその天井面となる棚４５の前端の載置部４５ａをアーチ部４８に載置して支持させてあるから、棚４５の上に例えば籠に入れたビール缶群等の重量食材を載置しても棚４５のたわみ変形等を防止することができる。したがって、低温室４６をこの実施の形態で示すように幅広な大型のものとすることができると同時に、幅広な棚であってもこれのひずみ変形等を防止でき、信頼性の高いものとすることができる。
【００６１】
また、前記棚４５は上面板５４と下面板５５との間に断熱材５６を組み込んで構成してあるから、低温室４６及び冷気通路５７から冷蔵室７への低温伝導を断熱材５６で抑制することができ、低温室４６及び冷気通路５７と冷蔵室７との間の温度差が大きくても棚４５の表面に結露が生じ食品等がべとつくのを防止することができる。
【００６２】
また、  前記棚４５は冷気通路用凹部を形成した一対の断熱部材５６ａ、５６ｂを組み合わせることによって冷気通路５７を形成しているから、冷気通路５７を容易に形成でき、一つの断熱部材の中をくりぬいて空気通路を形成する場合に比べその生産性が向上すると同時に、冷気通路形状の自由度も向上し、低温室全体を効率よく冷却するのに最適な冷気通路を形成することができる。
【００６３】
しかもこの棚４５は前記アーチ部４８へ載置する載置部４５ａより後方の冷気導入口側部分に冷気通路５７を設けて載置部４５ａには冷気通路を設けていないので、冷気通路５
７を有していて厚さ寸法が大きくなりがちな棚であっても、棚４５の載置部４５ａの厚み寸法を小さくしてアーチ部４８に載置したときの棚上面の高さ（冷蔵室への食い込み代寸法）を低く抑え冷蔵室７の容積低下を抑制することができる。これと同時にさらに上記構成としたことによって、棚４５の載置部４５ａ＋アーム部４８の合計厚み寸法と、厚み寸法が大きくなりがちな冷気通路形成部分の厚み寸法とを、近似させることができて冷気通路形成部分の低温室内への下向き出代寸法も小さくでき、アーチ部４８によって規制される低温室４６の室内高さを減少、換言すると容積を減少させるようなことも極小化して低温室４６の大型化に貢献することができる。
【００６４】
加えて、上記棚４５を構成する断熱材５６は前記した如く上下二層の断熱部材５６ａ、５６ｂで構成し、棚の載置部４５ａ部分は一層の断熱部材５６ａのみとするとともに載置部４５ａより後方部分は二層断熱部材５６ａ、５６ｂとして冷気通路５７を形成した構成としたことにより、断熱部材５６の使い分けだけで棚４５の厚み寸法を変えアーチ部４８へ載置する前端の載置部４５ａは薄く冷気通路部分は厚くして冷気通路５７を形成することができ、冷蔵室容積低減防止と低温室容積確保を簡単に達成することができる。
【００６５】
また、上記棚４５はその後端面に形成した係合片を前記冷却室背面の低温室冷気入口３６ａの両側に設けた係合受け部５２に係合させて着脱自在に取り付けてあるから、棚４５の上面が汚れたような場合には冷蔵室７から取り外して汚れをきれいに掃除することができ、長期間使用していても衛生的に維持することができる。
【００６６】
この棚４５の着脱は、載置部４５ａより後方部分の厚み寸法が冷気通路５７の存在によって大きくなっていて棚後端部の冷気導入口５８を冷蔵室背面の低温室冷気入口３６ａに合わせて前方から後方に向け水平に移動させる場合に、この厚くなっている後方部分がアーチ部４８に当たってしまう。しかしながらこの棚４５は前端部が厚みの小さい載置部４５ａとしてあるから、次のようにすれば容易に着脱できる。すなわち、装着は、まず図１１の（ａ）に示すように低温室４６の上方から下方に移動させて棚４５の載置部４５ａをアーチ部４８に当接させ、その後、同図（ｂ）で示すようにそのまま後方、すなわち冷蔵室背面側に移動させれば、同図（ｃ）に示すようにその冷気導入口５８が冷蔵室背面に開口している低温室冷気入口３６ａに圧接接続されてスムーズに冷蔵室７に装着できる。また、逆の動作をすることによってスムーズに取り外すことができる。
【００６７】
また、この実施の形態の低温室４６は上記棚４５の載置部４５ａを支持するアーチ部４８に照明装置６０を組み込んであるから、低温室内の食材を前方側から照射するようになり、内部の食材を視認しやすくなる。しかも、この照明装置６０は冷蔵室７に取り付け固定して取り外す必要のないアーチ部４８に装着してあるから、棚自体の下面に照明装置を取り付けて当該棚を取り外せるようにした場合に必要となるリード線の着脱構成を必要とせず簡素な配線構造を採用できると同時に、リード線着脱を使用者に行わせないようにすべく棚４５を固定方式とする必要もなくなり、低温室内の視認性向上と棚着脱可能化による清掃性の両立を図ることができる。
【００６８】
（実施の形態２）
図１３は実施の形態２における低温室４６の断面図、図１４は同低温室４６の要部拡大断面図、図１５は同実施の形態２における冷蔵庫の低温室部分に設けたアーチ部の半裁斜視図である。
【００６９】
この実施の形態２に示す低温室４６の棚４５はその載置部４５ａを上面板５４のみで構成したものである。すなわち、上面板５４の直下に位置する上断熱部材５６ａの前方部分は切除し、冷気通路５７を形成するのに必要な後方部分のみとしたものである。
【００７０】
これにより、アーチ部４８に棚４５を載置したときの棚上面までの高さを上断熱部材５６ａの板厚分だけさらに低くすることができ、冷蔵室７の容積減をさらに低減することができる。すなわち、断熱性とたわみ変形耐力を持つようにするための断熱材追加とアーチ部追加によって生じる冷蔵室７の容積減を極力少ないものとすることができ、断熱性向上による棚表面でのべとつき防止やたわみ変形耐力向上による低温室の幅広化の効果を最大限発揮させて低温室４６の大容量化を実現できる。
【００７１】
また、前記棚４５を支持するアーム部４８は上下二層構造として棚４５の載置部４５ａと接する上部に断熱材６１を設けるとともに、下層に照明装置６０を組み込んだ構成としてある。これにより、上面板５４のみで構成される載置部４５ａの断熱をこれと接するアーム部４８の断熱材６１で行うことができ、しかもアーチ部４８へ載置する前端の載置部４５ａはより薄くできる。したがって、載置部上面での結露を防止して食品等がべとつくのを防止できると同時に、冷蔵室容積低減抑制と低温室容積確保をより効果的に達成することができる。
【００７２】
以上、本発明の実施の形態を説明してきたが、上記実施の形態で説明した構成は本発明を実施する一例として示したものであり、本発明の目的を達成する範囲で種々変更可能なことは言うまでもない。
【００７３】
例えば、この実施の形態では棚４５を構成する断熱部材５６は上下に分割した断熱部材５６ａ、５６ｂを例示したが、これは左右に分割したものであってもよい。
【００７４】
また、冷気通路５７は一対の断熱部材間に形成したものを例示したが、これは上側の断熱部材５７ａの下に下面板５５を直接重合させて当該下面板５５と上側断熱部材５７ａとで形成してもよく、少なくとも冷気通路５７の冷蔵室側が断熱材５６で覆われる構成にすればどのように構成してもよいものである。
【産業上の利用可能性】
【００７５】
本発明にかかる冷蔵庫は、低温室の棚が汚れたときなどにはこれを冷蔵室から取り外してその汚れをきれいに掃除することができると同時に、冷蔵室背面の冷気通路部からの冷気を低温室に供給して低温室を冷蔵室温度よりも低温に冷却することができ、低温室の棚の着脱性と低温室への冷気供給性を両立させた使い勝手の良い冷蔵庫とすることができる。よって、家庭用はもちろん業務用冷蔵庫にも幅広く適用することができる。
【符号の説明】
【００７６】
１  冷蔵庫本体
５，６  仕切板
７  冷蔵室
８  野菜室
９  冷凍室
１０，１１，１２  扉
１４  機械室
１５  圧縮機
１６  冷却室
１７  奥面仕切壁体
１８  冷却器
１９  冷却ファン
２０  除霜ヒータ
２１  ドレンパン
３０  冷却室冷気搬送路
３１  冷蔵室ダンパ
３１ａ  低温室ダンパ
３２  冷蔵冷気往き通路
３２ａ  低温室冷気往き通路（冷気通路部）
３３  冷蔵冷気戻り通路
３４  冷凍室ダンパ
３５  冷蔵冷気入口
３６  冷蔵冷気戻り口
３６ａ  低温室冷気入口
３７  往き通路
３８  戻り通路
３９  連通路
４０  冷気戻りダクト
４１  背面壁体
４２  冷凍冷気入口
４３  冷凍冷気戻り口
４４  棚
４５  棚
４５ａ  載置部
４６  低温室
４７  貯水タンク設置スペース
４８  アーチ部
４９  低温室容器
５０  蓋
５２  係合受け部
５３  段状レール部
５４  上面板
５５  下面板
５６  断熱材
５７  冷気通路
５８  冷気導入口
５９  冷気吹出口
６０  照明装置
６１  アーチ部用断熱材
６２  操作部
６３  野菜室容器
６４  下段容器
６５  上段容器
６６  冷凍室容器
６７  製氷装置
【図１】
2015117922.tif 000003
【図２】
2015117922.tif 000004
【図３】
2015117922.tif 000005
【図４】
2015117922.tif 000006
【図５】
2015117922.tif 000007
【図６】
2015117922.tif 000008
【図７】
2015117922.tif 000009
【図８】
2015117922.tif 000010
【図９】
2015117922.tif 000011
【図１０】
2015117922.tif 000012
【図１１】
2015117922.tif 000013
【図１２】
2015117922.tif 000014
【図１３】
2015117922.tif 000015
【図１４】
2015117922.tif 000016
【図１５】
2015117922.tif 000017
【図１６】
2015117922.tif 000018